(57)【要約】  【課題】載置形態を変えても投射像の一部が台上に投射されないようにしたプロジェクタ装置を備える電子機器を提供する。  【解決手段】プロジェクタ付き携帯電話機１０に搭載されたプロジェクタモジュール６は、プロジェクタ付き携帯電話機１０が縦位置で載置されている状態で、プロジェクタモジュール６の開口中心Ｏより右方向にオフセットされるとともに、プロジェクタモジュール６の開口中心Ｏより上方向にオフセットされた位置に投射像Ｉｖを投射する。プロジェクタモジュール６は、プロジェクタ付き携帯電話機１０を横位置で載置すると、プロジェクタモジュール６の開口中心Ｏより左方向にオフセットされるとともに、プロジェクタモジュール６の開口中心Ｏより上方向にオフセットされた位置に投射像Ｉｈを投射する。  【選択図】図３
2006115486.tif 000002
【特許請求の範囲】
【請求項１】
光像形成素子に形成された像を、投射光学系を介して筐体の外の投射面へ向けて投射するプロジェクタ装置を備える電子機器において、
前記プロジェクタ装置は、前記電子機器および前記投射面を載置する平面上に、前記筐体の第１の面を下にして前記電子機器を載置する第１の載置形態、および、前記第１の面と異なる前記筐体の第２の面を下にして前記電子機器を載置する第２の載置形態、のいずれにおいても前記プロジェクタ装置から投射される像が前記平面で遮られないように、投射光束の向きを定め、前記像を投射することを特徴とする電子機器。
【請求項２】
請求項１に記載の電子機器において、
前記投射光束の向きは、投射光束の中心線が前記第１の載置形態および前記第２の載置形態のいずれにおいても前記平面に平行な面より上方向を向くように定められていることを特徴とする電子機器。
【請求項３】
請求項１に記載の電子機器において、
前記投射光束の向きは、前記投射光束の端部が前記電子機器の第１の面および第２の面のいずれからもはみ出さないように定められていることを特徴とする電子機器。
【請求項４】
請求項１に記載の電子機器において、
前記投射光束の向きは、前記第１の載置形態、および前記第２の載置形態のいずれにおいても、当該投射光束の下端の、前記投射面に向けての投射の向きが、前記平面に平行な面と同じ方向、もしくは該方向より上に向くように定められていることを特徴とする電子機器。
【請求項５】
請求項１に記載の電子機器において、
前記投射光束の向きは、前記投射面上の前記像の焦点状態が適切に保たれる投影距離の範囲内で、かつ最大の投影距離の位置に配置された前記投射面に前記プロジェクタ装置が前記像を投射したときに、前記第１の載置形態、および前記第２の載置形態のいずれにおいても前記像が前記平面で遮られないように定められていることを特徴とする電子機器。
【請求項６】
請求項１に記載の電子機器において、
前記第１の載置形態および前記第２の載置形態のそれぞれにおいて、前記プロジェクタ装置から投射される像の前記投射面上での台形歪みを同一の補正特性で補正する補正手段をさらに備えることを特徴とする電子機器。
【請求項７】
請求項６に記載の電子機器において、
前記補正手段はさらに、前記投射面上の像の台形歪みの補正特性が、前記第１の載置形態および前記第２の載置形態において、異なる補正特性となるように変更して補正することを特徴とする電子機器。
【請求項８】
請求項１〜６のいずれかに記載の電子機器において、
前記載置時に下にすることを示す部材が前記第１の面および前記第２の面にそれぞれ設けられていることを特徴とする電子機器。
【請求項９】
請求項１〜８に記載の電子機器において、
投射する情報の種類および前記電子機器の載置形態の少なくともいずれかに応じて、少なくとも前記光像形成素子を回転駆動する回転駆動手段をさらに備えることを特徴とする電子機器。
【請求項１０】
請求項１〜８のいずれかに記載の電子機器において、
前記光像形成素子に像の向きが回転した像を形成させる投射像回転手段をさらに備え、
前記投射像回転手段は、投射する情報の種類および前記電子機器の載置形態の少なくともいずれかに応じて前記像の向きを回転させることを特徴とする電子機器。
【請求項１１】
光像形成素子に形成された像を、投射光学系を介して前記筐体の外の投射面へ向けて投射するプロジェクタ装置を筐体に備え、
前記プロジェクタ装置は、少なくとも前記光像形成素子が前記筐体を載置面に載置した状態で前記投射光学系の光軸と略平行な軸の周りに回転可能に構成されていることを特徴とする電子機器。
【請求項１２】
請求項１１に記載の電子機器において、
前記プロジェクタ装置は、前記略平行な軸の周りに、異なる方向に回転可能に構成されていることを特徴とする電子機器。
【請求項１３】
請求項１１に記載の電子機器において、
前記プロジェクタ装置はさらに、前記回転軸と非平行な照明光軸を有し、光像形成素子に形成された像を照明するＬＥＤ光源を有することを特徴とする電子機器。
【請求項１４】
請求項１１に記載の電子機器において、
前記プロジェクタ装置を、投射する情報の種類および前記電子機器が載置されている向きの少なくともいずれかに応じて回転駆動する回転駆動手段をさらに備えることを特徴とする電子機器。
【発明の詳細な説明】
【技術分野】
【０００１】
本発明は、画像やテキストなどの情報を投射する電子機器搭載用のプロジェクタ装置に関する。
【背景技術】
【０００２】
携帯電話機などの小型機器にプロジェクタを搭載した電子機器が知られている（特許文献１参照）。特許文献１に記載のプロジェクタ付き携帯電話機は、通話者が通話しながら通話者自身の手のひらに情報を投射したり、通話しながら壁面に情報を投射したりする。
【０００３】
【特許文献１】特開２０００−２３６３７５号公報
【発明の開示】
【発明が解決しようとする課題】
【０００４】
上記プロジェクタ付き携帯電話機を台上に直接載置し、プロジェクタによって情報を壁面に投射させる状況を考えると、投射像の一部が台上に投射され、全投射像が壁面に投射されないことが想定される。このことは、プロジェクタ付き携帯電話機が小型になり、プロジェクタの投射光学系が載置面に近づくほど問題になりやすい。特に上記プロジェクタ付き携帯電話機のような機器の場合には、台上の載置形態としても複数種類の載置形態が考えられ、その各々の載置形態について上記の問題を解決する必要があった。さらに、このような載置形態や、投射する情報の種類（例えば、縦長画面／横長画面）に応じて、適切な向きの像を投射できることが望まれる。
【課題を解決するための手段】
【０００５】
請求項１に記載の発明は、光像形成素子に形成された像を、投射光学系を介して筐体の外の投射面へ向けて投射するプロジェクタ装置を備える電子機器に適用される。そして、プロジェクタ装置は、電子機器および投射面を載置する平面上に、筐体の第１の面を下にして電子機器を載置する第１の載置形態、および、第１の面と異なる筐体の第２の面を下にして電子機器を載置する第２の載置形態、のいずれにおいてもプロジェクタ装置から投射される像が平面で遮られないように、投射光束の向きを定め、像を投射することを特徴とする。
請求項１に記載の電子機器において、投射光束の向きは、投射光束の中心線が第１の載置形態および第２の載置形態のいずれにおいても平面に平行な面より上方向を向くように定められると好ましい。
請求項１に記載の電子機器において、投射光束の向きは、投射光束の端部が電子機器の第１の面および第２の面のいずれからもはみ出さないように定められると好ましい。
請求項１に記載の電子機器において、投射光束の向きは、第１の載置形態、および第２の載置形態のいずれにおいても、当該投射光束の下端の、投射面に向けての投射の向きが、平面に平行な面と同じ方向、もしくは該方向より上に向くように定められると好ましい。
請求項１に記載の電子機器において、投射光束の向きは、投射面上の像の焦点状態が適切に保たれる投影距離の範囲内で、かつ最大の投影距離の位置に配置された投射面にプロジェクタ装置が像を投射したときに、第１の載置形態、および第２の載置形態のいずれにおいても像が平面で遮られないように定められると好ましい。
請求項１に記載の電子機器はさらに、第１の載置形態および第２の載置形態のそれぞれにおいて、プロジェクタ装置から投射される像の投射面上での台形歪みを同一の補正特性で補正する補正手段を備えてもよい。
請求項６に記載の電子機器において、補正手段はさらに、投射面上の像の台形歪みの補正特性が、第１の載置形態および第２の載置形態において、異なる補正特性となるように変更して補正することもできる。
請求項１〜６のいずれかに記載の電子機器において、載置時に下にすることを示す部材が第１の面および第２の面にそれぞれ設けられていてもよい。
請求項１〜８に記載の電子機器はさらに、投射する情報の種類および電子機器の載置形態の少なくともいずれかに応じて、少なくとも光像形成素子を回転駆動する回転駆動手段を備えてもよい。
請求項１〜８のいずれかに記載の電子機器はさらに、光像形成素子に像の向きが回転した像を形成させる投射像回転手段を備えてもよく、この場合の投射像回転手段は、投射する情報の種類および電子機器の載置形態の少なくともいずれかに応じて像の向きを回転させることもできる。
請求項１１に記載の発明による電子機器は、光像形成素子に形成された像を、投射光学系を介して筐体の外の投射面へ向けて投射するプロジェクタ装置を筐体に備え、プロジェクタ装置は、少なくとも光像形成素子が筐体を載置面に載置した状態で投射光学系の光軸と略平行な軸の周りに回転可能に構成されていることを特徴とする。
請求項１１に記載の電子機器において、プロジェクタ装置は、略平行な軸の周りに、異なる方向に回転可能に構成されていると好ましい。
請求項１１に記載の電子機器において、プロジェクタ装置はさらに、回転軸と非平行な照明光軸を有し、光像形成素子に形成された像を照明するＬＥＤ光源を有してもよい。
請求項１１に記載の電子機器はさらに、プロジェクタ装置を、投射する情報の種類および電子機器が載置されている向きの少なくともいずれかに応じて回転駆動する回転駆動手段を備えてもよい。
【発明の効果】
【０００６】
請求項１に記載の発明による電子機器では、電子機器および投射面を載置する平面上に、電子機器の第１の面を下にして載置しても、電子機器の第２の面を下にして載置しても、像が平面で遮られることなく投射できる。
請求項１１に記載の発明による電子機器では、適切な向きで像を投射するように、投射像の表示の向きを変更することができる。
【発明を実施するための最良の形態】
【０００７】
以下、図面を参照して本発明を実施するための最良の形態について説明する。図１は、本発明の一実施の形態によるハンドホールドで用いることが可能なプロジェクタ付き携帯電話機１０の斜視図である。図１において、プロジェクタ付き携帯電話機１０は操作部１と表示部２とを構成する筐体が回動可能な折り畳みヒンジ部３で支持され、折り畳みヒンジ部３を回動中心に折り畳み自在に構成されている。折り畳みヒンジ部３には、操作部１および表示部２間の相対角θがたとえば、９０度の位置と１５０度の位置とに不図示のクリック機構が設けられている。９０度はプロジェクタ部の投影姿勢に対応し、１５０度は電話機の通話姿勢に対応する。
【０００８】
操作部１の底面１ａには、プロジェクタ付き携帯電話機１０を平面上に載置した場合に安定するように小型脚部１２ａ〜１２ｄが設けられている。操作部１の表示部２側の面１ｂには後述する第１操作部材１１２などが設けられ、操作部１の側面１ｃには小型脚部１１が設けられている。小型脚部１１は、プロジェクタ付き携帯電話機１０の相対角θを図１のように９０度に開いた状態（投影姿勢）で当該側面１ｃを下にして平面上に載置した場合（横位置載置）に、折り畳みヒンジ部３および表示部２に配設されている小型脚部２１とともに３点で安定して載置されるように構成されている。
【０００９】
表示部２の操作部１側の面２ｂには、後述するメイン液晶表示器２０４が配設され、表示部２の外側の面２ａには、サブ液晶表示器４が配設されている。表示部２の面２ａにはさらに、カメラの撮影レンズ５およびプロジェクタモジュール６がそれぞれ配設される。プロジェクタモジュール６は円筒形状に構成され、表示部２の面２ａに設けられている丸穴Ｍに回転自在に嵌入され、図１に示す正位置（０度とする）と、正位置を基準に左右それぞれの向きにプロジェクタモジュール６を９０度回転させた２つの位置との計３箇所にクリック機構（不図示）が設けられている。
【００１０】
図２は、図１のプロジェクタ付き携帯電話機１０の構成を説明するブロック図である。図２において、操作部１側にはＣＰＵ１０１と、メモリ１０２と、姿勢センサ１０３と、近距離通信部（回路）１０４と、ＴＶチューナー１０６と、マイク１０７と、外部インターフェイス（Ｉ／Ｆ）１０８と、電源１０９と、通信制御部（回路）１１０と、アンテナ７と、ＧＰＳアンテナ１１１と、第１操作部材１１２と、スピーカー１１３と、開閉角度スイッチ（ＳＷ）１１４とが備えられ、着脱可能なメモリカード１０５が実装されている。
【００１１】
表示部２にはカメラ部２００と、プロジェクタモジュール６（プロジェクタ部）と、第２操作部材２０５と、スピーカー２０６と、モータ２０７と、メイン液晶表示器２０４と、サブ液晶表示器４とが備えられている。
【００１２】
コントローラであるＣＰＵ１０１は、制御プログラムに基づいて、プロジェクタ付き携帯電話機１０を構成する各部から入力される信号を用いて所定の演算を行うなどして、プロジェクタ付き携帯電話機１０の各部に対する制御信号を送出することにより、電話機動作、カメラ動作、プロジェクタ動作をそれぞれ制御する。なお、制御プログラムはＣＰＵ１０１内の不図示の不揮発性メモリに格納されている。
【００１３】
メモリ１０２はＣＰＵ１０１の作業用メモリとして使用される。姿勢センサ１０３は、プロジェクタ付き携帯電話機１０の姿勢を検出し、検出信号をＣＰＵ１０１へ送出する。これによりＣＰＵ１０１は、撮影時には画像の天地を示す天地情報（縦位置撮影および横位置撮影の識別のための情報を含む）を取得し、プロジェクタ使用時には図１に示すような縦位置で載置されているか、小型脚部１１、２１および折り畳みヒンジ部３を下にした横位置に載置されているかを判定する。
【００１４】
近距離通信部１０４は、たとえば、赤外線通信回路によって構成され、ＣＰＵ１０１の指令により外部機器との間でデータを送受信する。ＴＶチューナー１０６は、ＣＰＵ１０１の指令によりテレビ放送を受信する。ＣＰＵ１０１は、受信画像をメイン液晶表示器２０４に表示させ、受信音声をスピーカー２０６で再生させる。メモリカード１０５は不揮発性メモリによって構成され、ＣＰＵ１０１の指令により、たとえば、カメラ部２００より出力される画像データ、ＴＶチューナー１０６より出力される映像・音声データなどのデータの書き込み、保存および読み出しが可能である。
【００１５】
マイク１０７は、集音した音声を電気信号に変換して音声信号としてＣＰＵ１０１へ送出する。音声信号は、録音時にはメモリカード１０５に記録され、通話時には通信制御部１１０へ送られる。外部インターフェイス１０８は、ＣＰＵ１０１の指令により不図示のケーブルまたはクレードルを介して外部機器との間でデータを送受信する。
【００１６】
スピーカー１１３は、ＣＰＵ１０１から出力された音声信号による音声を再生する。第１操作部材１１２は、電話機のダイヤルボタンなどを含み、押下されたボタンに対応する操作信号をＣＰＵ１０１へ送出する。ＧＰＳアンテナ１１１はＧＰＳ衛星からの信号を受信し、受信データをＣＰＵ１０１へ送出する。ＣＰＵ１０１は、ＧＰＳアンテナ１１１からの受信データを用いて位置情報を演算可能に構成されている。通信制御部１１０は無線送受信回路を含み、ＣＰＵ１０１の指令により不図示の基地局を介して他の電話機との間で通信を行う。通信制御部１１０は、電話音声の他にもカメラ部２００で撮影された画像データや、プロジェクタモジュール６で投射するための画像データなどを送受信可能に構成されている。アンテナ７は通信制御部１１０の送受信アンテナである。
【００１７】
電源１０９は、たとえば、着脱可能な電池パックおよびＤＣ／ＤＣ変換回路などで構成され、プロジェクタ付き携帯電話機１０内の各部に必要な電力を供給する。開閉角度ＳＷ１１４は、折り畳みヒンジ部３の回動角を検出し、操作部１および表示部２間の相対角θが９０度（投影姿勢）にされたことを検出するとオン信号をＣＰＵ１０１へ送出し、上記角度以外ではオフ信号を送出する。ＣＰＵ１０１は、オン信号を受信するとプロジェクタモジュール６の投影動作を行い、オフ信号を受信すると投影動作を行わない。
【００１８】
メイン液晶表示器２０４は、ＣＰＵ１０１の指令により画像やテキストなどの情報を表示する。サブ液晶表示器４は、ＣＰＵ１０１の指令により画像やテキストなどの情報を表示する。テキスト情報は、プロジェクタ付き携帯電話機１０の動作状態、操作メニュー、送受信メールの内容などである。さらに、メイン液晶表示器２０４は、プロジェクタモジュール６で投射される画像と同じ画像を表示することが可能な構成とされている。第２操作部材２０５は、メイン液晶表示器２０４の表示内容に関連づけられたボタンなどを含み、押下されたボタンに対応する操作信号をＣＰＵ１０１へ送出する。スピーカー２０６は、相対角θが１５０度である通話姿勢時にＣＰＵ１０１から出力された音声信号による音声を再生する。
【００１９】
カメラ部２００は、撮影レンズ５と、イメージセンサ２０１と、レンズ駆動部（回路）２０２と、コントローラであるカメラ制御ＣＰＵ２０３とを含む。イメージセンサ２０１としてはＣＣＤやＣＭＯＳ撮像素子などが用いられる。カメラ制御ＣＰＵ２０３は、ＣＰＵ１０１の指令によりイメージセンサ２０１およびレンズ駆動部２０２を駆動制御する。レンズ駆動部２０２は、カメラ制御ＣＰＵ２０３からズーム制御信号を受けると、制御信号に応じて撮影レンズ５を構成するズームレンズ（不図示）をテレ側もしくはワイド側へ駆動する。撮影レンズ５は、イメージセンサ２０１の撮像面上に被写体像を結像させる。カメラ制御ＣＰＵ２０３はイメージセンサ２０１に撮像を開始させ、撮像終了後にイメージセンサ２０１から蓄積電荷信号を読み出し、所定の信号処理を施した上で画像データとしてＣＰＵ１０１へ送出する。なお、カメラ部２００で撮影した画像データを送信する場合にはＣＰＵ１０１から通信制御部１１０へ画像データが送出される。また、撮影画像を投射する場合にはカメラ制御ＣＰＵ２０３からＣＰＵ１０１を経由してプロジェクタモジュール６へ画像データが送出される。画像処理回路であるＣＰＵ１０１では、プロジェクタモジュール６で投射される画像データに対して台形歪み補正（キーストン補正）処理が施される。
【００２０】
プロジェクタモジュール６は、投影レンズ６１と、液晶パネル６２と、ＬＥＤ光源６３と、ＬＥＤ駆動部（回路）６４と、液晶駆動部（回路）６５と、レンズ駆動部（回路）６６とを含む。ＬＥＤ駆動部６４は、ＣＰＵ１０１から出力されるＬＥＤ駆動信号に応じてＬＥＤ光源６３に電流を供給する。ＬＥＤ光源６３は、供給電流に応じた明るさで液晶パネル６２を照明する。
【００２１】
液晶駆動部６５は、画像データに応じて液晶パネル駆動信号を生成し、生成した駆動信号で液晶パネル６２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源６３からの光を変調することにより、液晶パネル６２が光像を生成する。
【００２２】
レンズ駆動部６６は、ＣＰＵ１０１から出力される制御信号に基づいて、投影レンズ６１を投影レンズ６１の光軸に対して直交する方向へ進退駆動する。また、レンズ駆動部６６は、投影レンズ６１のフォーカスレンズを駆動して所定の投影距離範囲に載置されたスクリーン上の画像のフォーカスを調整することができる。投影レンズ６１は、液晶パネル６２から射出される光像をスクリーンなどへ向けて投射する。
【００２３】
（投射像のオフセット）
プロジェクタモジュール６による投射像について詳細に説明する。図３は、投影レンズ６１をスクリーンＳに対向させ、平面Ｐ上に上記縦位置で載置されたプロジェクタ付き携帯電話機１０から平面上の所定の投影距離位置に載置されたスクリーンＳに投射された像Ｉｖを説明する図である。図３および後述する図４では、プロジェクタ付き携帯電話機１０は前述の投影姿勢で平面Ｐに載置されており、メイン液晶表示器２０４の表示面とスクリーンＳ（投射面）とは、スクリーンＳに正対する方向から同時に視認可能なように略平行な状態とされている。図３(a)はスクリーンＳを正対する向きに見た図であり、図３(b)はスクリーンＳを右側方から見た図である。スクリーンＳ上の投射像は、少なくともその一辺の長さがプロジェクタ付き携帯電話機１０の筐体の縦、または横の寸法より大きく拡大投射されている。
【００２４】
図３(a)において、投射像Ｉｖの投射光束の中心点Ｃはプロジェクタモジュール６の開口中心Ｏより右方向にオフセットされている。すなわち、投射光束の左端を小型脚部１１、２１、およびヒンジ３よりなる横位置載置面に相当する平面より右に向けている。また、同時に、投射像Ｉｖが平面Ｐにかからないようにプロジェクタモジュール６の開口中心Ｏより上方向にオフセットされている。すなわち、投射光束の下端を小型脚部１２ａ〜１２ｄからなる平面（縦位置載置面）Ｐより上に向けている。なお、プロジェクタモジュール６の回転位置は０度にセットされている。また、図中点Ｃは投射される光束の中心（投射像Ｉｖの中心）を表し、開口中心Ｏおよび点Ｃを結ぶ線Ｆｃが光束の中心線に相当する。
【００２５】
図４は、図３に示す投射像オフセットの状態で、投影レンズ６１をスクリーンＳに対向させて平面Ｐ上に上記横位置で載置されたプロジェクタ付き携帯電話機１０から図３と同じ投影距離位置に載置されたスクリーンＳに投射された像Ｉｈを説明する図である。図４(a)はスクリーンＳに正対する向きに見た図であり、図４(b)はスクリーンＳを右側方から見た図である。スクリーンＳ上の投射像は、少なくともその一辺の長さがプロジェクタ付き携帯電話機１０の筐体の縦、または横の寸法より大きく拡大投射されている。図４(a)において、投射像Ｉｈの投射光束の中心点Ｃはプロジェクタモジュール６の開口中心Ｏより左方向にオフセットされるとともに、投射像Ｉｈが平面Ｐにかからないようにプロジェクタモジュール６の開口中心Ｏより上方向にオフセットされている。すなわち、投射光束の下端は小型脚部１１、２１およびヒンジ３からなる平面（横位置載置面）Ｐより上に向けられている。なお、プロジェクタモジュール６の回転位置は０度にセットされている。また、図中点Ｃは投射される光束の中心（投射像Ｉｈの中心）を表し、開口中心Ｏおよび点Ｃを結ぶ線Ｆｃが光束の中心線に相当する。
【００２６】
このように、縦位置載置時には、図３(a)に示されるように、投射光束の下端が小型脚部１２ａ〜１２ｄよりなる平面（縦位置載置面）Ｐより上で、かつ投射光束の左端を、小型脚部１１、２１およびヒンジ３よりなる横位置載置面に相当する平面より右にオフセットして投射する構成としたので、図４(a)に示されるように横位置載置時においても、投射光束の下端は小型脚部１１、２１およびヒンジ３よりなる平面（横位置載置面）より上にオフセットして投射され、想定される載置の向きによって投射光束の一部が載置面によってさえぎられることがなくなる。
【００２７】
すなわち、投射光束の端部が、所定の投影距離位置にあるスクリーンＳに至るまで、小型脚部１２ａ〜１２ｄよりなる平面（縦位置載置面）および小型脚部１１、２１およびヒンジ３よりなる平面（横位置載置面）のいずれによっても遮られないように、投射光束の向きが定められている。投射光束の下端は、投影レンズ６１が焦点調整可能な、最短の投影距離から最大の投影距離に至る範囲内に載置されたスクリーンＳに至るまで、縦位置載置面、横位置載置面のいずれによっても遮られないように定められていることが望ましい。プロジェクタモジュール６は上記の範囲内では、適切な焦点状態が維持され、その他の所定の光学性能が維持されるように構成されている。すなわち、投射光束の下端が、例えば、上記の最大の投影距離等の上記の範囲内の所定の投影距離、上記範囲内の全ての投影距離、あるいは上記の最短の投影距離以上の投影距離に載置されたスクリーンＳに至るまで、縦位置載置面、横位置載置面のいずれによっても遮られないように定められている。もちろん、焦点調整ができない投影レンズ６１を用いた場合にも、適切な焦点状態が維持される投影距離範囲内で、上記と同様の構成とすることができる。なお、プロジェクタモジュール６は、このようなオフセット状態に固定されているものであっても、このようなオフセット状態をデフォルト状態として、投影光束の向きを調整可能なものであってもよい。ここで、投射光束の向きを定めるとは、前述した投射光束の中心線または下端の向きを定めることに相当する。
【００２８】
投射像のオフセットは、上述したレンズ駆動部６６で投影レンズ６１を投影レンズ６１の光軸と垂直な方向へシフトさせて行うようにした。しかし、液晶パネル６２、ＬＥＤ光源６３を投影レンズ６１の光軸に対して垂直方向に進退駆動する構成としてもよい。すなわち、投影レンズ６１と液晶パネル６２の相対的位置関係を投影レンズ６１の光軸に垂直な方向に変化させることで、投射像のオフセットを実現できる。このように投射像をオフセットさせる場合でも、投影レンズ６１の光軸は、ＬＥＤ光源６３による照明光軸Ａｘ（図５）と略平行になる。投射像のオフセット量は、図３および図４に示す状態に固定されているものであっても、図３および図４に示す状態に変更可能なものであっても構わない。後者の場合には、デフォルト状態で図３および図４に示す状態に設定されていることが望ましい。また、投影レンズ６１、液晶パネル６２、ＬＥＤ光源６３の一部を投影レンズ６１の光軸に対して垂直方向に移動させる際には、その移動に応じて投影する表示データに対してキーストン補正が行われる。
【００２９】
上述したように投射像にオフセットを与えるだけでは投射像が台形状に変化する。そこで、投射像を長方形状に補正するために画像処理による電気的なキーストン補正が施される。このキーストン補正は、図３および図４に例示したように、投影レンズ６１の光軸と投射面とが垂直の場合には、プロジェクタ付き携帯電話機１０が縦位置載置されている場合と、横位置載置されている場合とでそれぞれ同一の補正特性による補正が行われる。キーストン補正量は、あらかじめ縦位置載置および横位置載置の状態で投射像ＩｖおよびＩｈをそれぞれ方形状に補正するための初期補正値がＣＰＵ１０１内に記憶されている。ＣＰＵ１０１は、この初期補正値をもとに、プロジェクタモジュール６から投射する像のデータに対してキーストン補正処理を施す。
【００３０】
（投射像の回転）
図３(a)、(b)のように縦位置で載置（投射画面は横長画面）されている状態で縦長画面用のコンテンツを投射するとき、ＣＰＵ１０１はモータ２０７を駆動させ、プロジェクタモジュール６を図１の右方向に９０度回転させて正立像ＩｖＲが投射されるようにする。正立像ＩｖＲは、開口中心Ｏ（正確には、投影レンズ６１の光軸と略平行な回転軸）の周りに投射像Ｉｖが回転したものである。略平行とは、液晶パネル６２を含むプロジェクタモジュール６の回転軸と投影レンズ６１の光軸との挟角が３０度以下であることをいう。ＣＰＵ１０１は、表示されようとする画面のコンテンツが横長画面用コンテンツか縦長画面用コンテンツかについて以下のように識別を行う。投射するコンテンツがカメラ部２００で撮影した画像の場合は撮影時の天地情報を用いる。撮影時の天地情報は、姿勢センサ１０３の出力から得ることが可能であり、このようにして得られた天地情報は画像データファイルの所定領域に格納されている。ＣＰＵ１０１は、投射するコンテンツがカメラ部２００で撮影した画像以外のテキストなどの場合は、コンテンツデータに含まれる付帯データの画面情報（例えば画面アスペクト比情報）や、コンテンツデータを作成したアプリケーションソフトウエアの種類情報を用いて、横長画面用コンテンツか縦長画面用コンテンツかを識別する。
【００３１】
プロジェクタモジュール６を図１の右方向に９０度回転させると正立像が投射されずに倒立像になる場合、ＣＰＵ１０１は液晶駆動部６５に指令を送り、液晶パネル６２に形成される像が１８０度回転するように液晶パネル駆動信号を変更し、液晶パネル６２上に形成される像の上下を逆さにする。この場合も液晶パネル６２に形成する像を回転させるか否かは撮影時の天地情報を用いて判定する。これにより、撮影者が撮影時にプロジェクタ付き携帯電話機１０を構えた向きにかかわらず、コンテンツの天地を自動認識して常に正立像が投射されるようになる。
【００３２】
同様に、図４(a)、(b)のように横位置で載置（投射画面は縦長画面）されている状態で横長画面用のコンテンツを投射するとき、駆動回路であるＣＰＵ１０１はモータ２０７を駆動させ、プロジェクタモジュール６を図１の左方向に９０度回転させて正立像ＩｈＬが投射されるようにする。正立像ＩｈＬは、開口中心Ｏ（正確には、投影レンズ６１の光軸と略平行な回転軸）の周りに投射像Ｉｈが回転したものである。略平行とは、液晶パネル６２を含むプロジェクタモジュール６の回転軸と投影レンズ６１の光軸との挟角が３０度以下であることをいう。
【００３３】
プロジェクタモジュール６を図１の左方向に９０度回転させると正立像が投射されずに倒立像になる場合、ＣＰＵ１０１は液晶駆動部６５に指令を送り、液晶パネル６２に形成される像が１８０度回転するように液晶パネル駆動信号を変更し、液晶パネル６２上に形成される像の上下を逆さにする。これにより、撮影者が撮影時にプロジェクタ付き携帯電話機１０を構えた向きにかかわらず、常に正立像が投射されるようになる。
【００３４】
図５はプロジェクタモジュール６の拡大図である。図５において、円筒部材６０の中にＬＥＤ光源６３、液晶パネル６２、投影レンズ６１を構成する２枚のレンズ６１ａ、６１ｂが全て収容されている。投影レンズ６１を投影レンズ６１の光軸と垂直方向にシフトしない状態では、投影レンズ６１の光軸が照明光軸Ａｘと合致する。なお、２枚のレンズ６１ａ、６１ｂを進退駆動するアクチュエータ（レンズ駆動部６６）、液晶駆動部６５およびＬＥＤ駆動部６４については図示を省略している。プロジェクタモジュール６を回転させると、例えば、ＬＥＤ光源６３による照明光軸Ａｘを中心に液晶パネル６２が回転する。このように、プロジェクタモジュール６の回転によって液晶パネル６２および投影レンズ６１が回転するので、図３(a)および図４(a)に示すように投射像を回転させることができる。なお、投影レンズ６１、液晶パネル６２およびＬＥＤ光源６３の相対的な位置関係は、プロジェクタモジュール６が回転しても一定に保たれている。このような構成とすることにより、投影レンズ６１をその光軸と垂直方向にシフトさせた状態では、当該シフトの向きおよびシフト量に応じてオフセットされた像を投射レンズ６１から投射することができる。また、液晶パネル６２を含むプロジェクタモジュール６の回転は、投影レンズ６１等の投射光学系の光軸、あるいは、これに略平行な軸を中心に行われるものであってもよい。ここで、略平行とは、プロジェクタモジュール６の回転軸と、上記の光軸との挟角が３０度以下であることをいう。なお、本実施形態においては、ＬＥＤ光源６３を光源として用いており、その発光特性は重力の影響を受けない。したがって、照明部の光軸は、プロジェクタモジュール６の回転軸と略平行ではない構成としても、重力の影響により照明部の発光特性が変化することがなく、上記の回転によっても投射画像の画質を維持することができる。ＬＥＤ光源６３の出射光束をミラー等で反射させ、液晶パネル６２に導くなどの構成とし、照明部の光軸と上記の回転軸が直交（非平行）する構成とすれば、装置を薄型化することができ、かつ、回転によって画質劣化のない装置を実現できる。
【００３５】
さらにまた、投影レンズを筐体に固定して、投影レンズ部を除いた部分（液晶パネル、ＬＥＤ光源部）を回転させる構成としてもよい。あるいは、投影レンズ、ＬＥＤ光源部を筐体に固定して、それ以外の部分を回転させる構成としてもよい。このような構成とすれば、回転部の重量を少なくすることができ、例えば、小型脚部２１の設けられた面に対向する面に設けられた操作部材の手動操作により、手動で回転させる場合には、小さい力で回転させることができる。また、電動で回転させる場合にも駆動部（モータ）を小型化することができ、装置を小型化することができる。なお、このような回転によっても、液晶パネル、ＬＥＤ光源、投影レンズの相対的位置関係は保持されている。上記で説明した各形態において、回転する部分を装置外観に露出させない構成とすれば、回転部分に筐体外から混入した異物等がはさまり回転が行われなくなる、ということが発生する可能性が低減される。露出させない構成とは、プロジェクタモジュール６と表示部２との回転摺動部が、外部に露出しないように構成されている状態を意味し、例えば、プロジェクタモジュール６が表示部２内で回転し、投射像の出射部を透明部材で覆うことによって構成される。
【００３６】
図６は、ＣＰＵ１０１によって行われるプロジェクタモジュール６の回転処理の流れを説明するフローチャートである。図６による処理は、プロジェクタ使用時に起動される。図６のステップＳ１１において、判定回路であるＣＰＵ１０１は投射しようとするコンテンツの表示形態が現状の載置位置での投射形態と異なるか否かを判定する。すなわち、ＣＰＵ１０１は、載置されている向きが例えば図３(a)の縦位置載置でプロジェクタモジュール６から横長画面を投射しようとしている状態で投射コンテンツが縦長画面のとき、もしくは載置されている向きが図４(a)の横位置載置でプロジェクタモジュール６から縦長画面を投射しようとしている状態で投射コンテンツが横長画面のとき、ステップＳ１１を肯定判定してステップＳ１２へ進み、図３(a)中の投射画像Ｉｖもしくは図４(a)中の投射画像Ｉｈと投射しようとするコンテンツの表示形態（縦長画面、横長画面）が合致する場合にはステップＳ１１を否定判定し、ステップＳ１６へ進む。
【００３７】
ステップＳ１２において、ＣＰＵ１０１はモータ２０７を駆動させ、プロジェクタモジュール６を９０度回転させてステップＳ１３へ進む。すなわち、図３(a)の縦位置載置の場合には、プロジェクタモジュール６を図１に示す右方向に９０度回転させ、図４(a)の横位置載置の場合には、プロジェクタモジュール６を図１に示す左方向に９０度回転させる。なお、この際には投影レンズ６１、液晶パネル６２およびＬＥＤ光源６３の相対的な位置関係はプロジェクタモジュール６が回転しても一定に保たれており、上記の回転によって投射画像がプロジェクタ付き携帯電話機１０の載置面Ｐによってさえぎられることはない。ステップＳ１３において、判定回路であるＣＰＵ１０１は投射しようとする画面の表示が上下逆さか否かを判定する。ＣＰＵ１０１は、投射コンテンツが撮影画像であって、撮影時の天地情報に基づいて上下逆さを判断した場合にステップＳ１３を肯定判定してステップＳ１４へ進む。一方、投射コンテンツが撮影画像であって撮影時の天地情報に基づいて上下逆さでないと判断した場合にはステップＳ１３を否定判定し、ステップＳ１５へ進む。なお、投射コンテンツが撮影画像以外のデータであって、投射しようとするコンテンツの表示形態（縦長画面、横長画面）、およびその上下方向が投射コンテンツデータのファイルに含まれるヘッダ情報等によって判断可能な場合には、この情報を用いてステップＳ１３の判断を行う。
【００３８】
ステップＳ１４において、ＣＰＵ１０１は液晶駆動部６５に指令を送り、液晶パネル６２に形成される像が１８０度回転するように液晶パネル駆動信号を変更させてステップＳ１５へ進む。
【００３９】
ステップＳ１５において、ＣＰＵ１０１は表示Ｂを行わせる。具体的には、ＬＥＤ駆動部６４に指令を送り、ＬＥＤ光源６３を点灯させてステップＳ１１へ戻る。これにより、図３(a)の状態では投射像ＩｖＲが投射され、図４(a)の状態では投射像ＩｈＬが投射される。
【００４０】
ステップＳ１６において、ＣＰＵ１０１は表示Ａを行わせる。具体的には、ＬＥＤ駆動部６４に指令を送り、ＬＥＤ光源６３を点灯させてステップＳ１１へ戻る。これにより、図３(a)の状態では投射像Ｉｖが投射され、図４(a)の状態では投射像Ｉｈが投射される。なお、必要に応じてステップＳ１１とステップＳ１６との間でステップＳ１３、ステップＳ１４と同じ処理を行うようにしてもよい。
【００４１】
また、ＣＰＵ１０１がプロジェクタモジュール６が投射する情報と同一の情報や前述のテキスト情報をメイン液晶表示器２０４に表示させる際に、メイン液晶表示器２０４に表示される像の向きがプロジェクタモジュール６が投射する像の向きと揃うようにメイン液晶表示器２０４に表示される表示像を電気的に回転させる。
【００４２】
以上説明した実施形態によれば、次の作用効果が得られる。
（１）プロジェクタ付き携帯電話機１０に搭載されたプロジェクタモジュール６は、プロジェクタ付き携帯電話機１０が縦位置で載置（投射画面は横長画面）されている状態で、投射光束の中心点がプロジェクタモジュール６の開口中心Ｏより右方向にオフセットされるとともに、プロジェクタモジュール６の開口中心Ｏより上方向にオフセットされた位置に投射像Ｉｖを投射する（図３）。ただし、プロジェクタモジュール６の回転位置は０度とする。したがって、投射像Ｉｖの一部が載置面（平面Ｐ）にかかることがないので、投射像が見やすくなる。
【００４３】
（２）上記（１）のプロジェクタモジュール６は、プロジェクタ付き携帯電話機１０を縦位置載置状態から投射面に略平行な面内で約９０度回転させて横位置で載置（投射画面は縦長画面）した場合、投射光束の中心点がプロジェクタモジュール６の開口中心Ｏより左方向にオフセットされた状態となり、該回転の前に投射像が回転とは反対方向にオフセットされているので、プロジェクタモジュール６の開口中心Ｏより上方向にオフセットされた位置に投射像Ｉｈを投射する（図４）。したがって、図３(a)の状態からオフセット量を同一に保ったまま変更しなくても、投射像Ｉｈの一部が載置面（平面Ｐ）にかかることがないから、プロジェクタ付き携帯電話機１０の縦位置載置、横位置載置にかかわらず見やすい投射像が得られる。
【００４４】
（３）上記のオフセットされた像の投射によって発生する投射画像の台形歪みを補正するために画像処理によるキーストン補正を施したので、投射位置のオフセットに起因する台形歪みを抑えた投射像が得られる。なお、投影レンズ６１の光軸と投射面が垂直ではない場合には、投射像の台形歪みが投射像の回転（プロジェクタモジュール６の回転、投射像データの電気的な回転、プロジェクタ付き携帯電話機１０の縦位置載置／横位置載置による回転）によって変化する。ＣＰＵ１０１によってこの歪みを補正可能な構成とすれば、より一層好適である。ＣＰＵ１０１は、第１操作部材１１２や不図示のリモートコントロール装置の操作に基づいて、この歪みを補正するために投射像の回転された前後の２つの状態（例えば、縦位置載置状態と横位置載置状態）で、異なる補正特性でキーストン補正を行うように補正特性を変更することができる。
【００４５】
（４）プロジェクタ付き携帯電話機１０に小型脚部１２ａ〜１２ｄ、１１および２１を設けたので、プロジェクタ付き携帯電話機１０が縦位置載置、横位置載置にかかわらず安定し、見やすい投射像が得られるとともに、載置方向について、操作者が容易に把握することができる。たとえば、プロジェクタ付き携帯電話機１０を図４(a)に示す方向とは逆の方向の横位置載置とすると、図４(a)に示される投射画像Ｉｈ、ＩｈＬが平面Ｐによって遮られてしまうこととなる。本実施形態によれば、このような事態を未然に防ぐことができる。
【００４６】
（５）プロジェクタモジュール６を円筒形状に構成し、プロジェクタ付き携帯電話機１０の表示部２の面２ａに設けられている穴Ｍに嵌入して回転自在に構成する。円筒部材６０の中には、ＬＥＤ光源６３、液晶パネル６２、投影レンズ６１を全て収容する。プロジェクタモジュール６を回転させると液晶パネル６２および投影レンズ６１が回転するので、図３(a)および図４(a)に示すように投射像が回転する。したがって、投射するコンテンツに横長画面用のコンテンツと縦長画面用のコンテンツが混在する場合でも、コンテンツごとにプロジェクタ付き携帯電話機１０の載置方向を変えることなく、常に正立した投射像を得ることができる。
【００４７】
（６）プロジェクタモジュール６の回転は、例えば、縦長画面、横長画面などのコンテンツの表示形態が現状の載置位置での投射形態と異なるか否かを判定し（ステップＳ１１）、異なる場合には自動的にモータ２０７で回転させる（ステップＳ１２）ようにしたので、使い勝手が向上する。とくに、プロジェクタ付き携帯電話機１０のようなモバイル機器の場合、指で操作するだけでもプロジェクタ付き携帯電話機１０が動いてしまうため、投射像が揺れ動いて観察者が不快に感じることがある。プロジェクタモジュール６を自動的に回転させることによって投射像の回転操作を不要にする構成とすれば、投射像が揺れ動いて観察者を不快にすることが防止される。
【００４８】
（７）プロジェクタモジュール６の正位置（０度とする）と、正位置を基準に左右それぞれの向きに９０度回転させた２つの位置との計３箇所にクリック機構を設けたので、プロジェクタモジュール６を手動で回転させる場合には回転操作がしやすくなる。
【００４９】
（８）天地情報を用いて投射しようとする画面の表示が上下逆さか否かを判定し（ステップＳ１３）、上下逆さの場合には自動的に液晶パネル６２に形成される像を１８０度回転する（ステップＳ１４）ようにしたので、撮影者が撮影時にプロジェクタ付き携帯電話機１０を構えた向きにかかわらず、常に正立像が投射されるようになる。なお、この場合にはキーストン補正についても上記回転に合わせて変更される。
【００５０】
図３および図４に例示したオフセット量をさらに大きくしてもよい。縦位置載置時には、投射光束の下端をプロジェクタモジュール６の開口中心Ｏより上方向に、かつ投射光束の左端を開口中心Ｏより右方向に、それぞれオフセットして投射させる。（図３(a)のＩｖ投射時）。すなわち、各載置状態において、投影距離によらず投射光束の下端が平面Ｐに平行な面より上になるように、（スクリーンＳに向かう投射光束の下端の向きが平面Ｐに平行な面と同じ方向、もしくはこれより上を向くように）投射光束の向きを定める。このようにすれば、横位置載置時には、投射面上の投射光束の下端がプロジェクタモジュール６の開口中心Ｏ（正確には投影レンズ６１の光軸に垂直な主点を含む面上の投射光束の下端）より上方向に、かつ投射面上の投射光束の右端が開口中心Ｏ（正確には投影レンズ６１の光軸に垂直な主点を含む面上の投射光束の右端）より左方向になるようにそれぞれオフセットして投射されるので、プロジェクタ付き携帯電話機１０からスクリーンＳまでの距離が遠い場合など、スクリーンＳまでの距離によって投射光束の一部が載置面Ｐによってさえぎられることがない。オフセット量が変更可能な構成とされている場合には、この状態をデフォルト状態としておくことが好ましい。
【００５１】
上記オフセット量を決定するレンズシフト量を初期補正値としてＣＰＵ１０１内に記憶させておき、初期補正値に基づいてレンズシフトを行うように説明したが、あらかじめ所定量のオフセットが得られるように光学系（投影レンズ６１、液晶パネル６２、ＬＥＤ光源６３）の位置関係を固定しておいてもよい。また、この際に発生する投射画像の台形歪みの補正は、画像処理によって電気的に補正するものであっても、光学素子によって光学的に補正するものであってもよい。
【００５２】
ＣＰＵ１０１は、撮影時の天地情報を用いることによって自動的に液晶パネル６２に形成する像の上下を逆さにするようにしたが、操作部材（第１操作部材１１２もしくは第２操作部材２０５）からの操作信号、または近距離通信部１０４を介して受信される操作信号に応じて液晶パネル６２に形成する像の上下を逆さにするように構成してもよい。
【００５３】
ＣＰＵ１０１は、撮影時の天地情報を用いることによって自動的にモータ２０７を駆動してプロジェクタモジュール６を回転させるようにした。この他にも、投射するコンテンツの種類に応じて、たとえば、テレビ放送の受信画像は横長画面、携帯電話機の通常表示画面（メール表示画面を含む）は縦長画面で投射されるように投射コンテンツの種類によって回転させてもよい。
【００５４】
また、プロジェクタ付き携帯電話機１０がコンピュータに接続されたクレードルにセットされたことを検出した場合に横長画面投射、および縦長画面投射の切り換えを行ってもよい。プロジェクタ付き携帯電話機１０は、クレードルに載置（セット）されると、例えば自動的に横長画面投射に設定され、コンピュータから入力された画像データを、コンピュータのモニタ装置と同じ（例えば、横長画面）表示形態でプロジェクタモジュール６によって投射する。この際、コンピュータからの制御信号に基づいて、横長画面、縦長画面投射の切り換えを行うものであってもよい。上記構成において、プロジェクタ付き携帯電話機１０をクレードルを介さずにコンピュータに接続した場合にも、同様の動作を実行させることができる。すなわち、クレードルを介さずにコンピュータと接続した場合には、この接続または通信の開始をＣＰＵ１０１で検出し、例えば図４(a)の横位置載置で縦長画面が投射されていた場合には、横長画面投射となるように上述のような方法、もしくは後述するデータ処理による方法でクレードルに載置された場合と同様に投射像を回転させる。
【００５５】
プロジェクタモジュール６を回転駆動するモータ２０７を省略してもよい。この場合には使用者による手動の回転操作でプロジェクタモジュール６を回転させる。
【００５６】
（データ処理による投射像の回転）
プロジェクタモジュール６を回転させることなく、画像データ上で処理を施すことによって投射像を電気的に回転させてもよい。上述した実施形態では、コンテンツの表示形態が現状の載置位置での投射形態と異なるか否かをＣＰＵ１０１が判定し（ステップＳ１１）、異なる場合にはモータ２０７でプロジェクタモジュール６を回転させる（ステップＳ１２）ようにした。この代わりに、液晶パネル６２に形成される像を９０度回転させることによって、スクリーンＳに投射される像を電気的に回転させる。図７は、この場合の液晶パネル６２の構成を説明する図である。図７において、液晶パネル６２は十字形状に構成され、横に長い長方形６２ａはアスペクト比４：３に、縦に長い長方形６２ｂはアスペクト比３：４にそれぞれ構成されている。ＣＰＵ１０１は、投射コンテンツが横長画面の場合に液晶パネル６２のうち長方形６２ａの領域に像を形成させ、投射コンテンツが縦長画面の場合には液晶パネル６２のうち長方形６２ｂの領域に像を形成させる。
【００５７】
図８は、縦長画面である像が横に長い長方形６２ａの領域に形成された例を説明する図である。ＣＰＵ１０１は、画像データファイルの天地情報に基づいて図８に示す像が縦長画面であると判定すると、液晶パネル６２に電圧を印加する画素列の縦横の順番をそれぞれ並び変える。これにより、液晶パネル６２上に図９に示すような縦長画面の像が形成され、結果的に投射像が回転する。液晶パネル６２を十字形状に構成したことにより、図８および図９の間で画像を構成する画素数が変化しないので、解像度を変えずに同等面積の投射像を得ることができる。さらに、液晶パネル６２を長方形６２ａの形状で構成する場合のように、液晶パネル上に形成する画像の各辺を構成する画素数を３／４に縮小処理する必要がなく、ＣＰＵ１０１の負担を軽減できる。
【００５８】
なお、液晶パネル６２を十字形状に構成する代わりに、十字形状を包含する方形状に構成してよいのはもちろんである。図１０(a)、(b)は、各々図３(a)の状態でメイン液晶表示器２０４、およびスクリーンＳに投射される像を示した図である。図１０(a)が示すメイン液晶表示器２０４の画面にはメニューＭが正視状態で表示されており、図１０(b)が示すスクリーンＳには、例えば画像Ｇが正視状態から右方向に９０度傾いた縦長画面で表示されている。このような場合に、ＣＰＵ１０１は、液晶パネル６２に形成される像の向きを、スクリーンＳ上で正視状態となるように液晶パネル６２に電圧を印加する画素列の順番を変更して、電気的に９０度回転させる。これによって、メイン液晶表示器２０４に表示される像の向きと、スクリーンＳ上に投射される像の向きとを揃えて正視状態にすることができる。なお、液晶パネル６２に形成される像を９０度回転させる代わりに、プロジェクタモジュール６を図１に示される右方向に９０度回転させるように、ＣＰＵ１０１によって制御する構成としてもよい。
【００５９】
また、このような場合に、プロジェクタ付き携帯電話機１０を図３(a)の縦位置載置状態から、図４(a)の横位置載置状態に変更してもよい。このようにすることによって、スクリーンＳに投射される像を正視状態とすることができる。ただし、この場合には、メイン液晶表示器２０４に表示される像は正視状態から図１０の紙面左方向に９０度回転したものとなっている。ＣＰＵ１０１は、メイン液晶表示器２０４に表示される像と、プロジェクタモジュール６によりスクリーンＳに投射された像の向きを揃えるように、メイン液晶表示器２０４に供給するメニューＭの画素列の順番を変更して、表示像を電気的に図１０の紙面右方向に９０度回転させる。これによって、メイン液晶表示器２０４に表示される像の向きと、スクリーンＳ上に投射される像の向きとを揃えて共に正視状態にすることができる。
【００６０】
このように、プロジェクタモジュール６による投射像、メイン液晶表示器２０４による表示像は、プロジェクタ付き携帯電話機１０の載置向き（載置形態）に応じて回転される。また、この際、前述のように縦長画面、横長画面などの表示しようとする情報の種類に応じて回転される。このような構成とすることによって、メイン液晶表示器２０４に表示される像と、スクリーンＳに投射される像との向きを揃えて、共に正視状態にすることができる。
【００６１】
プロジェクタモジュール６の構成例として、液晶パネル６２を用いて光像形成素子を構成し、液晶パネル６２による像をＬＥＤ光源６３の光で照明して光像を得る場合を説明したが、自発光式の光像形成素子を用いて構成してもよい。この場合には、画素に対応する点光源を配列して光像形成素子を構成し、画像信号に応じた輝度の光を画素ごとに発光させることにより、光像形成素子が光像を生成する。
【００６２】
上述した説明では、プロジェクタモジュール６の開口中心Ｏからオフセットされた位置に投射像を投射するようにしたが、本発明では必ずしもオフセットを設けなくてもよい。この場合には、投射像の一部が載置面にかからないようにチルト調整をすればよい。
【００６３】
以上の説明ではプロジェクタモジュール６を携帯電話機１０に搭載する例を説明したが、プロジェクタ付き携帯電話機１０の代わりにノート型パソコン、ＰＤＡ、電子カメラ、再生装置などの電子機器に搭載させてもよい。
【００６４】
プロジェクタモジュール６が搭載される電子機器の形状は上述した折り畳み形状のものに限らず、所謂直方体形状のものでもよい。
【００６５】
以上の説明はあくまで一例であり、発明を解釈する上で、上記の実施形態の構成要素と本発明の構成要素との対応関係に何ら限定されるものではない。
【図面の簡単な説明】
【００６６】
【図１】本発明の一実施の形態によるプロジェクタ付き携帯電話機の斜視図である。
【図２】プロジェクタ付き携帯電話機の構成を説明するブロック図である。
【図３】(a)は縦位置載置のプロジェクタ付き携帯電話機が像を投射するスクリーンを正対する向きに見た図である。(b)スクリーンを右側方から見た図である。
【図４】(a)は横位置載置のプロジェクタ付き携帯電話機が像を投射するスクリーンを正対する向きに見た図である。(b)スクリーンを右側方から見た図である。
【図５】プロジェクタモジュールの拡大図である。
【図６】プロジェクタモジュールの回転処理の流れを説明するフローチャートである。
【図７】画像データ上で処理を施すことによって投射像を回転させる場合の液晶パネルの構成を説明する図である。
【図８】縦長画面である像が横に長い長方形の領域に形成された例を説明する図である。
【図９】縦に長い長方形の領域に形成された縦長画面の像を説明する図である。
【図１０】(a)は図３(a)の状態でメイン液晶表示器に表示される像を示す図であり、(b)は図３(a)の状態でスクリーンに投射される像を示す図である。
【符号の説明】
【００６７】
１…操作部
２…表示部
３…折り畳みヒンジ部
６…プロジェクタモジュール
１０…プロジェクタ付き携帯電話機
１１、１２ａ〜１２ｄ、２１…小型脚部
６０…円筒部材
６１（６１ａ、６１ｂ）…投影レンズ
６２…液晶パネル
６３…ＬＥＤ光源
１０１…ＣＰＵ
１０３…姿勢センサ
Ｉｖ，ＩｖＲ，Ｉｈ，ＩｈＬ…投射像
Ａｘ…入射光軸
Ｆｃ…光束中心線
Ｍ…丸穴
Ｐ…平面
Ｓ…スクリーン
【図１】
2006115486.tif 000003
【図２】
2006115486.tif 000004
【図３】
2006115486.tif 000005
【図４】
2006115486.tif 000006
【図５】
2006115486.tif 000007
【図６】
2006115486.tif 000008
【図７】
2006115486.tif 000009
【図８】
2006115486.tif 000010
【図９】
2006115486.tif 000011
【図１０】
2006115486.tif 000012